(57)【要約】【課題】機種（型式）に左右されないで、内部に集積した商品の近傍の空気の温度を知ることができる自動販売機を得ることを目的とする。【解決手段】シュータ２に穿設された測温用通気穴２２を経由して侵入した空気の温度を測定する。特に、該空気を送風手段９によって吸引する。さらに、熱交換室５の壁面に設けた熱交換室通気穴２３とシュータの測温用通気穴２２とを連通するセンサ遮蔽手段２５を設置し、これによって包囲された内部に空気温度測定手段２４を配置する。また、循環ダクト壁１１ａに設けた循環ダクト通気穴２８とシュータの測温用通気穴２２とを連通するセンサ遮蔽手段２２５を設置し、これによって包囲された内部に空気温度測定手段２４を配置する。【選択図】        図２
2004348312.tif 000002
【特許請求の範囲】
【請求項１】
商品を収納し順次下方に搬出する機能を有した商品ラックと、
商品を搬出する商品搬出口と、
前記商品ラックから落下した商品を前記商品搬出口に誘導するシュータと、
該シュータの下方に配置された冷却／加熱手段、送風手段および空気温度測定手段と、
該送風手段によって送られた空気を前記商品ラックの内部を経由して前記冷却／加熱手段に循環させるための循環ダクトとを具備する商品収納庫を有し、
前記シュータの上方の空気が前記シュータに穿設された測温用通気穴を経由して前記送風手段によって吸引され、該空気の温度が測定されることを特徴とする自動販売機。
【請求項２】
前記冷却／加熱手段を収容して、前記送風手段が設置された熱交換室と、
前記商品収納庫の底に立設され、前記熱交換室を包囲して前記シュータの下面に当接するシュータ側面遮蔽材と、
前記熱交換室の壁面に穿設された熱交換室通気穴と前記測温用通気穴とを連通するセンサ遮蔽材と、
該センサ遮蔽材によって包囲された空気温度測定手段とを有することを特徴とする請求項１記載の自動販売機。
【請求項３】
前記冷却／加熱手段を収容して、前記送風手段が設置された熱交換室と、
前記商品収納庫の底に立設され、前記熱交換室を包囲して前記シュータの下面に当接するシュータ側面遮蔽材と、
前記循環ダクトの壁面に穿設された循環ダクト通気穴と前記測温用通気穴とを連通するセンサ遮蔽材と、
該センサ遮蔽材によって包囲された空気温度測定手段とを有することを特徴とする請求項１記載の自動販売機。
【請求項４】
前記空気温度測定手段が前記熱交換室の壁面に設置されることを特徴とする請求項２または３記載の自動販売機。
【請求項５】
前記センサ遮蔽材の上端に、遮蔽機能を具備する衝撃緩和材が設置され、該衝撃緩和材が前記シュータの下面に当接することを特徴とする請求項２乃至４の何れかに記載の自動販売機。
【請求項６】
前記シュータに空気循環用の循環用通気穴が略直線状に複数列穿設され、一方の循環用通気穴の列と他方の循環用通気穴の列との中間に、前記測温用通気穴が穿設されることを特徴とする請求項１乃至５の何れかに記載の自動販売機。
【発明の詳細な説明】
【０００１】
【発明の属する技術分野】
本発明は、缶、ビン、パック、ペットボトル等の容器に入れた飲料等の商品を冷却、もしくは加熱して販売に供する自動販売機に関する。
【０００２】
【従来の技術】
図５および図６は、従来の自動販売機を示すものであって、図５は横断面図、図６は熱交換室付近の部分拡大図である。
（自動販売機）
図５および図６において、自動販売機９００は、内部が断熱区画された筐体からなる商品収納庫１と、商品収納庫１の内部の空気を所定の温度（低温）にするための冷却ユニット８とを有している。なお、商品３は、缶、ビン、ペットボトル等の容器に入れた飲料等の商品であって、商品その物または商品が封入された容器を指している。
【０００３】
（商品収納庫）
商品収納庫１の前面壁１２（図中、左側）の下方には、製品取り出し用の商品搬出口１０が設けられ、商品搬出口１０に向かって傾斜したシュータ２が配置され、シュータ２が商品収納庫１の内部を上下に仕切っている。
そして、シュータ２の上方に商品３を収納するための商品ラック４が配置され、シュータ２の下方に熱交換室５が配置されている。
【０００４】
（循環ダクト）
さらに、商品収納庫１の後面壁１６（図中、右側）と略平行に、所定の間隔を設けて循環ダクト壁１１ａが配置されている。循環ダクト壁１１ａの上部には商品ラック４の位置に到達して開口するダクト吸引口１１ｂが、循環ダクト壁１１の下方には熱交換室５に連通して開口するダクト吹き出し口１１ｃがそれぞれ設けられ、後面壁１６と循環ダクト壁１１ａとによって挟まれた空間に、空気が流れる循環ダクト１１が形成されている。
【０００５】
（熱交換室）
熱交換室５には、商品収納庫１内の空気を所定の温度に維持するための冷却／加熱手段（蒸発器６およびヒータ７）が内部に収容され、商品収納庫１内の空気を循環するための送風手段９（以下、送風ファンと称す）が壁面に設置されている。
蒸発器６は冷却ユニット８（商品収納庫１の外部に設置されている）に接続され、所定の冷熱が供給されるものである。
熱交換室５は循環ダクト壁１１ａに当接して、ダクト吹き出し口１１ｃに連通している。したがって、循環ダクト１１内の空気は、最初に蒸発器６を通過し、次にヒータ７を通過して送風ファン９に吸引される。なお、冷却／加熱手段である蒸発器６とヒータ７は、商品や季節に応じて適宜使い分けられている。
【０００６】
（シュータ）
シュータ２は、前方（図中、左側）に向けて漸次低くなるように傾斜し、商品ラック４から落下した商品３を商品搬出口１０にまで送り出すものである。また、シュータ２には、送風ファン９から吹き出された空気（冷却または加熱された空気）をシュータ２の上方に流して、商品収納庫１の内部で循環させるための循環用通気穴２１が穿設されている。
【０００７】
（シュータ下部の包囲）
なお、循環用通気穴２１から循環空気を吹き出させ、商品の冷却または加熱の効率を高めるために、たとえば、シュータ２の下部を包囲する場合がある。
すなわち、シュータ２の側縁部（図中、奥行き方向の端部で「イ〜ニ」にて示す）と商品収納庫１の底板１４（図中「ロ〜ハ」にて示す）とを連結するシュータ側面遮蔽材１５ａ（図中「イ〜ロ〜ハ〜ニ」を包囲する範囲）が設置され、シュータ２の前面側の端部にシュータ前面遮蔽板１５ｂ（図中、左側の「ハ〜ニ」を包む奥行き方向の範囲）が設置される。
このとき、熱交換室５は、上下をシュータ２と商品収納庫１の底板１４とによって挟まれ、周囲を一対のシュータ側面遮蔽材１５ａとシュータ前面遮蔽板１５ｂと循環ダクト壁１１ａとによって包囲されるため、送風ファン９から送られた空気は該包囲された空間内に充満し、その全てが循環用通気穴２１から吹き出すことになる。
【０００８】
（空気の循環）
従来の自動販売機９００は以上の構成であるから、送付ファン９によって送られた空気（加熱または冷却された空気）は、シュータ２の上方に吹き出して、商品ラック４において熱交換され、循環ダクト１１を経由して再度熱交換室５に吸い込まれる。すなわち、商品収納庫１内の空気は、熱交換を繰り返しながら循環することになる。
たとえば、冷却ユニット８を稼働して蒸発器６に冷熱を供給すると、蒸発器６において冷却された空気が循環用通気穴２１を経由して商品ラック４に向けて吹き出し、商品ラック４に収納した商品３を冷却する。そして、暖まった空気は循環ダクト１１を経由して再度蒸発器６に戻ってくる。
一方、ヒータ７を稼働した場合には、加熱された空気が循環用通気穴２１を経由して商品ラック４に向けて吹き出し、商品ラック４に収納した商品３を加熱する。そして、冷めた空気は循環ダクト１１を経由して再度ヒータ７に戻ってくる。
【０００９】
（空気の温度）
冷却ユニット８またはヒータ７の起動・停止のタイミング制御、および送風ファン９の起動・停止のタイミング制御は、図示しない制御手段によってなされている。
このとき、制御のための空気の温度は、熱交換室５の上面に設置された温度測定手段２４によって測定される。すなわち、温度測定手段２４を熱交換室５の上面に設置することによって商品収納庫１の内部を流れる空気の温度が測定されるだけでなく、熱交換室５の異常な過熱（たとえば、送付ファン９が停止した場合等）が早期に検知できる。さらに、サーミスタ等の温度測定手段２４の他に、サーモスタットや温度ヒューズ等の過熱防止装置を設置するものがある（例えば、特許文献１参照。）。
【００１０】
【特許文献１】
特開平９−１６８４５号公報（第１−２頁、図４）
【００１１】
【発明が解決しようとする課題】
従来の自動販売機は上記のように構成され、制御のための空気の温度が熱交換室５の上面に設置された温度測定手段２４によって測定されているため、該測定値と商品３の実際の温度（または、商品３の近傍の空気の温度）とが相違することがあった。
たとえば、商品収納庫１の寸法（幅、奥行き、高さ等）は自動販売機の機種（型式）によって相違するため、機種毎に商品収納庫１の内部の空気の流れが相違するから、機種毎で測定した空気の温度と実際の商品３の温度との相違量も変化していた。このため、該相違量に対応して機種毎に温度制御のための設定温度を変更する必要があり、機種に左右されない標準化が困難であった。
さらに、前記のようにシュータ２の下部をシュータ側面遮蔽材１５ａ等によって包囲する場合には、温度測定手段２４に送風ファンから送られた空気が直接触れるため、測定した空気の温度と商品３の温度との相違量が拡大していた。
【００１２】
本発明は、このような測定した空気の温度と商品３の温度との相違に着目したものであって、機種やシュータ側面遮蔽材１５ａ等の設置に係わらず、商品３の近傍の空気の温度を知ることができ、商品３の温度を制御する精度を高めることが可能な自動販売機を得ることを目的とする。
【００１３】
【課題を解決するための手段】
本発明に係る自動販売機（請求項１）は、商品を収納し順次下方に搬出する機能を有した商品ラックと、商品を搬出する商品搬出口と、前記商品ラックから落下した商品を前記商品搬出口に誘導するシュータと、該シュータの下方に配置された冷却／加熱手段、送風手段および空気温度測定手段と、該送風手段によって送られた空気を前記商品ラックの内部を経由して前記冷却／加熱手段に循環させるための循環ダクトとを具備する商品収納庫を有し、
前記シュータの上方の空気が前記シュータに穿設された測温用通気穴を経由して前記送風手段によって吸引され、該空気の温度が測定される。
【００１４】
本発明に係る自動販売機（請求項２）は、前記自動販売機（請求項１）において、前記冷却／加熱手段を収容して、前記送風手段が設置された熱交換室と、
前記商品収納庫の底に立設され、前記熱交換室を包囲して前記シュータの下面に当接するシュータ側面遮蔽材と、
前記熱交換室の壁面に穿設された熱交換室通気穴と前記測温用通気穴とを連通するセンサ遮蔽材と、
該センサ遮蔽材によって包囲された空気温度測定手段とを有する。
【００１５】
本発明に係る自動販売機（請求項３）は、前記自動販売機（請求項１）において、前記冷却／加熱手段を収容して、前記送風手段が設置された熱交換室と、
前記商品収納庫の底に立設され、前記熱交換室を包囲して前記シュータの下面に当接するシュータ側面遮蔽材と、
前記循環ダクトの壁面に穿設された循環ダクト通気穴と前記測温用通気穴とを連通するセンサ遮蔽材と、
該センサ遮蔽材によって包囲された空気温度測定手段とを有する。
【００１６】
本発明に係る自動販売機（請求項４）は、前記自動販売機（請求項２、３）において、前記空気温度測定手段が前記熱交換室の壁面に設置される。
【００１７】
本発明に係る自動販売機（請求項５）は、前記自動販売機（請求項２、３、４）の何れかにおいて、前記センサ遮蔽材の上端に、遮蔽機能を具備する衝撃緩和材が設置され、該衝撃緩和材が前記シュータの下面に当接する。
【００１８】
本発明に係る自動販売機（請求項６）は、前記自動販売機（請求項１〜５）の何れかにおいて、前記シュータに空気循環用の循環用通気穴が略直線状に複数列穿設され、一方の循環用通気穴の列と他方の循環用通気穴の列との中間に、前記測温用通気穴が穿設される。
【００１９】
【発明の実施の形態】
［実施の形態１］
図１および図２は本発明の自動販売機に係る実施の形態１の構成を示すものであって、図１は各部材を透視して示す透視斜視図、図２はシュータ付近の各部材を分離して示す斜視図である。なお、従来の技術（図５、６）と同じ部分にはこれと同じ符号を付し、一部の説明を省略する。
【００２０】
（シュータ）
図１、２において、自動販売機１００のシュータ２は略平面状の矩形板材であって、循環空気を吹き出すための循環用通気穴２１が２列に穿設され、さらに、シュータ２の上端にそって、該２列の間にも循環用通気穴２１が穿設されている。すなわち、循環用通気穴２１が略コ字状に配置されている。
そして、該２列の循環用通気穴２１の中間に、温度測定用の空気を吸引するための測温用通気穴２２が穿設されている。なお、シュータ２の四隅はそれぞれ位置「イ、ハ、ト、ホ」に配置される。
【００２１】
（シュータ側面遮蔽材）
略直角三角形状の一対のシュータ側面遮蔽材１５ａが熱交換室５を挟むように配置されている。すなわち、一方のシュータ側面遮蔽材１５ａの三隅は位置「イ、ロ、ハ」に配置され、これと平行に他方のシュータ側面遮蔽材１５ａの三隅が位置「ホ、ヘ（図示しない）、ト」に配置されから、シュータ２（イ〜ハ〜ト〜ホの範囲）と循環ダクト壁１１ａの「イ〜ロ〜ヘ〜ホの範囲」と床面１４の「ロ〜ハ〜ト〜への範囲」と一対のシュータ側面遮蔽材１５ａ（イ〜ロ〜ハの範囲、ホ〜ヘ〜トの範囲）とによって、略三角柱状の容器が形成され、その内部に熱交換室５が収容されている。
【００２２】
（センサ遮蔽材）
センサ遮蔽材２５が熱交換室５の壁面（天井板に同じ）に設置されている。センサ遮蔽材２５は板材を曲げ加工した断面矩形の筒状体であって、下端が熱交換室５の壁面に固定され、上端にスポンジ等の衝撃緩和材２６が設置されている。すなわち、衝撃緩和材２６がシュータ２の下面に当接するから、シュータ２に商品３が落下した際の衝撃が熱交換室５に伝わることもない。また、衝撃緩和材２６がシュータ２の振動を抑えるから、シュータ２に商品３が落下した際の衝突音が小さくなる。さらに、衝撃緩和材２６は遮蔽機能を具備しているから、センサ遮蔽材２５とシュータ２との隙間が閉塞され、センサ遮蔽材２５の内側にシュータ２の下方にある空気が侵入することがない。
【００２３】
（温度センサ）
そして、センサ遮蔽材２５によって包囲された内側（以下、センサ室２７と称す）に、交換室５の壁面を貫通する熱交換室通気穴２３が穿設され、また、温度測定手段２４（たとえば、サーミスタ、以下、温度センサと称す）が設置されている。
したがって、温度センサ２４は、センサ室２７の空気の温度を測定するとともに、熱交換室５の過熱をも検知することができる。
【００２４】
（測温用空気の流れ）
図３は本発明の自動販売機に係る実施の形態１における測温用空気の流れを説明する模式図である。なお、図１および図２と同じ部分にはこれと同じ符号を付し、一部の説明を省略する。
送風ファン９によって送られた空気（冷却または加熱された空気）は、シュータ２に穿設された循環用通気穴２１を経由して上向きに吹き出す。そして、該吹き出した空気は商品ラック４に収納された商品３に衝突して熱交換され、一部はシュータ２に向かって下降したり、一部は商品３の間を通って上昇したり、あるいは横行したり複雑な流れをしながら、循環ダクト１１に吸引される。
このとき、測温用通気穴２２が循環用通気穴２１の一方の列と他方の列との中間に穿設されているから、商品３の近傍にあった空気が比較的穏やかな下降する空気流れになって測温用通気穴２２に到達すると考えられる。
すなわち、測温用通気穴２２に到達した空気は、商品３の近傍にあった空気であって、商品３の実際の温度を反映したものと言える。
【００２５】
一方、熱交換室通気穴２３には、送風ファン９によって負圧が発生するため、センサ室２７の空気は熱交換室通気穴２３を経由して熱交換室５に吸引される。また、これによって、測温用通気穴２２にも負圧が発生するため、シュータ２の直上の空気が測温用通気穴２２を経由してセンサ室２７に吸引される。
よって、自動販売機１００の温度センサ２４は、シュータ２の直上の空気の温度、すなわち、商品３の近傍の空気の温度を測定することができるから、商品３の温度を精度良く制御することが可能になる。このとき、シュータ２の下部はシュータ側面遮蔽材１５ａ等によって包囲され、送風ファン９から吹き出された空気は、該包囲された空間に充満するものの、センサ室２７の内部に侵入することがないから、温度センサ２４が冷却または加熱された空気の温度を直接測定することはない。
【００２６】
なお、本発明はシュータ２の下部が包囲されたものに限定するものではなく、シュータ２の下部がシュータ側面遮蔽材１５ａ等によって包囲されていないものであってもよい。このとき、自動販売機の機種（型式）あるいはシュータの形状等によって商品収納庫１内の空気流れが様々に変化しても、本発明においては、かかる空気流れの相違に左右されることなく商品３の近傍の空気の温度を測定することができるから、温度制御のための設定温度を標準化することが可能になる。
【００２７】
また、熱交換室５の内部には図示しないヒータおよび蒸発器が設置されているが、本発明はこれに限定するものではなく、ヒータまたは蒸発器の一方のみが設置されたものでもよい。また、送風ファン９が熱交換室５の外側に設置されているが、送風ファン９を熱交換室５の内部に収納してもよい。
さらに、センサ遮蔽材２５の形状は図示するもの限定するものではなく、たとえば、センサ遮蔽材２５の断面を、温度センサ２４と熱交換室通気穴２３とを包囲する最少の断面にしておけば、シュータ２の高い位置側（図中、右側で、送風ファン９の吹き出し方向の反対側に相当する）の循環用通気穴２１への冷却または加熱された空気の到達が阻害されることがない。
【００２８】
また、温度センサ２４を熱交換室５の壁面から撤去して、センサ遮蔽材２５の内面に移設してもよい（略垂直な姿勢に設置してもよい）。このとき、センサ遮蔽材２５の断面を小さくすることができる。また、センサ遮蔽材２５を熱交換室５と同じ材料（たとえば、鋼板等の熱伝達性の良好なもの）にしておけば、熱交換室５の過熱をも検知することができる。
また、センサ遮蔽手段２５の上端に設置した衝撃緩和材２６を撤去してもよい。このとき、センサ遮蔽手段２５自体を衝撃緩和機能を具備するもの（たとえば、蛇腹管等）にしておけば、熱交換室５に伝わる衝撃を緩和することができる。
なお、測温用通気穴２２および熱交換室通気穴２３の大きさや数量は、適宜選定自在な設計的事項である。
【００２９】
［実施の形態２］
図４は本発明の自動販売機に係る実施の形態２における測温用空気の流れを説明する模式図である。なお、実施の形態１（図１〜３）と同じ部分にはこれと同じ符号を付し、一部の説明を省略する。
図４において、自動販売機２００では、循環ダクト壁１１ａに循環ダクト通気穴２８が穿設され、測温用通気穴２２と循環ダクト通気穴２８とを連通するように熱交換室５の壁面（天井板）と循環ダクト壁１１ａとを跨ぐセンサ遮蔽材２２５が設置されている。すなわち、センサ遮蔽材２２５とシュータ２と熱交換室５とによってセンサ室２２７が形成され、センサ室２２７に温度センサ２４が配置されている。
【００３０】
また、循環ダクト通気穴２８には、循環ダクト１１を流れる空気（送風ファン９によって吸引されている）によって負圧が発生するため、センサ室２２７の空気は循環ダクト通気穴２８を経由して循環ダクト１１に吸引される。そして、これによって、測温用通気穴２２にも負圧が発生するため、シュータ２の直上の空気が測温用通気穴２２を経由してセンサ室２２７に吸引される。
よって、自動販売機２００の温度センサ２４は、シュータ２の直上の空気の温度、すなわち、商品３の近傍の空気の温度を測定することができるから、実施の形態１と同様の作用、効果を奏する。
【００３１】
【発明の効果】
以上のように本発明によれば、以下の効果が得られる。
請求項１に係る自動販売機によれば、シュータの上方の空気が測温用通気穴を経由して送風手段によって吸引されるから、シュータの上方にある空気（商品の近傍の空気に相当する）の温度を確実に知ることができ、商品の温度の制御精度を高めることが可能になる。
【００３２】
請求項２に係る自動販売機によれば、シュータの下方がシュータ側面遮蔽材等によって密閉され、送風手段から送られた空気（冷却または加熱された空気）は該密閉空間に充満して、シュータに設けた循環用通風穴から上方に吹き出すことになるから、商品は効果的に冷却または加熱される。このとき、空気温度測定手段（たとえば、サーミスタ等）はセンサ遮蔽材によって包囲されているから、送風手段から送られた空気に直接触れることがない。すなわち、送風手段の吹出し温を直接計ることはない。
また、センサ遮蔽材は熱交換室通気穴と測温用通気穴とを連通し、熱交換室通気穴には送風手段によって負圧が発生しているから、センサ遮蔽材によって包囲された空間には、シュータ上方の空気が吸引されることになる。よって、空気温度測定手段は、商品の近傍の空気の温度を測定することが可能になる。
【００３３】
請求項３に係る自動販売機によれば、センサ遮蔽材は循環ダクト通気穴と測温用通気穴とを連通し、循環ダクト通気穴には循環ダクト内を流れる空気によって負圧が発生しているから、センサ遮蔽材によって包囲された空間には、シュータ上方の空気が吸引されることになる。よって、前記自動販売機（請求項３）と同様に、空気温度測定手段は、商品の近傍の空気の温度を測定することが可能になる。
【００３４】
請求項４に係る自動販売機によれば、空気温度測定手段が熱交換室の過熱（たとえば、送風手段が異常停止した場合等）を早期に検知するから、該過熱検知用の測定手段を別途設置する必要がなくなる。
【００３５】
請求項５に係る自動販売機によれば、衝撃緩和材（たとえば、スポンジ等）がシュータの下面に当接しているから、シュータに商品が落下した際の衝撃が熱交換室に伝わり難くなり、また、シュータが制振されて商品が落下した際の衝突音が小さくなる。さらに、衝撃緩和材は遮蔽機能を具備しているから、センサ遮蔽材によって包囲された空間内にシュータの下方にある空気（送風手段から送られた冷却または加熱された空気）が直接侵入することがなく、シュータ上方の空気の温度を確実に測定することが可能になる。
【００３６】
請求項６に係る自動販売機によれば、測温用通気穴が循環用通気穴の一方の列と他方の列との中間に穿設されているから、商品ラックに収納された商品の近傍にあった空気が、比較的穏やかな下降する空気流れに乗って測温用通気穴に到達するため、「商品の近傍の空気の温度」を測定することが可能になる。
なお、シュータに穿設された循環用通気穴から上に向けて吹き出した冷却または加熱された空気は、商品に衝突して熱交換され、一部はシュータに向かって下降したり、一部は商品の間を通って上昇したり、あるいは横行したり複雑な流れをしながら循環ダクトに吸い込まれている。
【図面の簡単な説明】
【図１】本発明の自動販売機に係る実施の形態１の構成を示す透視斜視図である。
【図２】図１におけるシュータ付近の各部材を分離して示す斜視図である。
【図３】図１における測温用空気の流れを説明する模式図である。
【図４】本発明の自動販売機に係る実施の形態２における測温用空気の流れを説明する模式図である。
【図５】従来の自動販売機を示す横断面図である。
【図６】従来の自動販売機を示す熱交換室付近の部分拡大図である。
【符号の説明】
１  商品収納庫、        ２  シュータ、        ３  商品、
４  商品ラック、        ５  熱交換室、        ６  蒸発器、
７  ヒータ、            ８  冷却ユニット      ９  送風ファン、
１０  商品搬出口、      １１  循環ダクト、    １２  前面壁、
１３  側壁、            １４  底板            １５  シュータ側面遮蔽材
１６  後面壁、          ２１  循環用通気穴、  ２２  測温用通気穴、
２３  熱交換室通気穴、  ２４  温度センサ、    ２５  センサ遮蔽材、
２６  衝撃緩和材、      ２７  センサ室、      ２８  循環ダクト通気穴、
１００  自動販売機、    ２００  自動販売機、  ２２５  センサ遮蔽材、
２２６  衝撃緩和材、    ２２７  センサ室。
【図１】
2004348312.tif 000003
【図２】
2004348312.tif 000004
【図３】
2004348312.tif 000005
【図４】
2004348312.tif 000006
【図５】
2004348312.tif 000007
【図６】
2004348312.tif 000008